(57)【要約】【課題】電力増幅回路異常時にパワーオフ状態としてスピーカを保護すると共にその原因を記憶し、修理をするときに故障原因の調査が簡単に行えるオーディオ装置を提供する。【解決手段】電力増幅回路の出力信号を監視し、ＤＣオフセットエラーが発生するとそれを検出するＤＣオフセットエラー検出手段４と、不揮発性メモリ５と、報知部６とを備え、ＤＣオフセットエラー検出手段４がＤＣオフセットエラーを検出すると、ＤＣオフセットエラーが発生したことを不揮発性メモリ５に記憶させてパワーオフ状態とし、再度電源が投入されたときに不揮発性メモリ５に記憶させた内容を報知部６により報知させる。【選択図】        図１
2005192021.tif 000002
【特許請求の範囲】
【請求項１】
電力増幅回路の出力信号を監視し、ＤＣオフセットエラーが発生するとそれを検出するＤＣオフセットエラー検出手段と、不揮発性メモリと、報知部とを備え、前記ＤＣオフセットエラー検出手段がＤＣオフセットエラーを検出すると、ＤＣオフセットエラーが発生したことを前記不揮発性メモリに記憶させてパワーオフ状態とし、再度電源が投入されたときに前記不揮発性メモリに記憶させた内容を前記報知部により報知させることを特徴とするオーディオ装置。
【請求項２】
前記報知部の報知が所定のキーを押した状態で電源投入されたときに行われる請求項１のオーディオ装置。
【請求項３】
前記報知部が表示装置であり、この表示装置によりＤＣオフセットエラーが表示される請求項１または２のオーディオ装置。
【請求項４】
前記報知部が音声発生装置であり、この音声発生装置の発音によりＤＣオフセットエラーが報知される請求項１または２のオーディオ装置。
【請求項５】
前記報知部が光源であり、この光源が点灯または点滅することによりＤＣオフセットエラーが報知される請求項１または２のオーディオ装置。
【発明の詳細な説明】
【技術分野】
【０００１】
この発明はオーディオ装置に係わり、特に、その異常原因認知手段に関する。
【背景技術】
【０００２】
従来、オーディオ装置の電力増幅回路異常時の保護手段が特開２００３−３０４１２３号公報に提案されている。それに提案されたオーディオ装置は電力増幅回路の出力信号が異常であるときは電力増幅回路の出力を停止する。
【０００３】
このオーディオ装置によると、電力増幅回路が異常であるときにスピーカに過大な電流が流れてスピーカが破壊されることが防止される。しかしながらこのオーディオ装置では、電力増幅回路の出力が停止したときに、その原因が記録されていないので、修理をするときに故障原因の調査に手間がかかっていた。
【特許文献１】特開２００３−３０４１２３号公報、段落００２１〜００２５、図１
【発明の開示】
【発明が解決しようとする課題】
【０００４】
この発明は上記した点に鑑みてなされたものであって、その目的とするところは、電力増幅回路異常時にパワーオフ状態としてスピーカを保護すると共にその原因を記憶し、修理をするときに故障原因の調査が簡単に行えるオーディオ装置を提供することにある。
【課題を解決するための手段】
【０００５】
この発明のオーディオ装置は、電力増幅回路の出力信号を監視し、ＤＣオフセットエラーが発生するとそれを検出するＤＣオフセットエラー検出手段と、不揮発性メモリと、報知部とを備え、前記ＤＣオフセットエラー検出手段がＤＣオフセットエラーを検出すると、ＤＣオフセットエラーが発生したことを前記不揮発性メモリに記憶させてパワーオフ状態とし、再度電源が投入されたときに前記不揮発性メモリに記憶させた内容を前記報知部により報知させるものである。
【０００６】
また、前記オーディオ装置において、前記報知部の報知が所定のキーを押した状態で電源投入されたときに行われるものである。
【０００７】
また、前記各オーディオ装置において、前記報知部が表示装置であり、この表示装置によりＤＣオフセットエラーが表示されるものである。
【０００８】
また、同各オーディオ装置において、前記報知部が音声発生装置であり、この音声発生装置の発音によりＤＣオフセットエラーが報知されるものである。
【０００９】
また、同各オーディオ装置において、前記報知部が光源であり、この光源が点灯または点滅することによりＤＣオフセットエラーが報知されるものである。
【発明の効果】
【００１０】
この発明のオーディオ装置によれば、電力増幅回路が不良となると、パワーオフとなるるのでスピーカの故障が防止される。そして、電力増幅回路でＤＣオフセットエラーが発生した場合、使用者がなぜパワーオフとなったか分からず修理に出すと、修理を依頼された部門でＤＣオフセットエラーが発生したか否かを容易に調べることができるので不具合現象が容易に判定でき、修理の作業効率が向上する。
【発明を実施するための最良の形態】
【００１１】
以下この発明を実施するための最良の形態を実施例に即して説明する。
【実施例１】
【００１２】
図１はこの発明の実施例１であるオーディオ装置の要部を示すブロックである。このオーディオ装置は入力監視手段２、エラー表示手段３、ＤＣオフセットエラー検出手段４およびリセット回路８を備えた制御部１を有している。制御部１はマイクロコンピュータで構成されており、電力増幅回路の出力信号が異常であるときの処理を行うためのものである。
【００１３】
電源入力キー９により電源が入力されると入力監視手段２がそれを検知して、ＤＣオフセットエラー検出手段４が動作し、ＤＣオフセットエラー検出部７から電力増幅回路の出力信号の直流成分であるＤＣオフセット信号を読み込む。
【００１４】
ＤＣオフセットエラー検出部７は電力増幅回路の出力信号の直流成分を検出する。電力増幅回路の電源が単電源であれば、正常時の電力増幅回路の出力信号の直流成分は電源電圧の略１／２であり、電力増幅回路の電源が両極性電源であれば、正常時の電力増幅回路の出力信号の直流成分は略０Ｖである。
【００１５】
ＤＣオフセットエラー検出手段４は読み込まれたＤＣオフセット信号が正常値から所定の閾値を越えて異常となった時間が所定時間より長くなるとＤＣオフセットエラーが発生したと判断して不揮発性メモリ５にエラーデータを記憶させ、オーディオ装置をパワーオフ状態へ移行させる。その後は電源入力キー１１により電源をオフとさせるか、リセットキー１２によりリセット回路８を動作させることにより初期状態となる。
【００１６】
不揮発性メモリ５に記憶されたＤＣオフセットエラー状態を表示させる場合は、任意のキー９を押した状態で電源入力キー１１により電源を投入すると、ＤＣオフセットエラー状態表示モードとなる。このモードにおいて、ＤＣオフセットエラー検出手段４は不揮発性メモリ５からエラーデータを読み込み、そのデータをエラー表示手段に指令して表示部６に表示させる。なお、ＤＣオフセットエラー状態表示モードにおいて、クリアキー１０を押すと不揮発性メモリ５に記憶されているデータが初期化される。
【００１７】
図２はＤＣオフセットエラー検出手段４の動作を示すフローチャートである。このルーチンは電力増幅回路の動作中に定期的に実行される。このルーチンが実行されると、先ずステップＳ１において、ＤＣオフセットエラーが検出されたか否かが判断され、検出されない場合はこのルーチンを終了し、検出された場合はステップＳ２に移行する。
【００１８】
ステップＳ２ではエラーデータを不揮発性メモリー５に書き込み、ステップＳ３に移行する。ステップＳ３ではパワーオフ状態としてこのルーチンを終了する。このようにして電力増幅回路の動作中にＤＣオフセットエラーが検出されると、エラーデータが不揮発性メモリー５に書き込まれてパワーオフ状態となる。
【００１９】
図３は電源投入時の動作を示すフローチャートである。このルーチンは電源断の状態で定期的に実行される。（制御装置１の電源はバッテリバックアップされている）このルーチンが実行されると、先ずステップＳ４において、電源が入力されたか否かが判断され、入力されない場合はこのルーチンを終了し、入力された場合はステップＳ５に移行する。ステップＳ５では任意のキー９が押されているか否かが判断され、押されている場合は、ステップＳ６に移行し、押されていない場合はステップＳ７に移行する。
【００２０】
ステップＳ６ではＤＣオフセットエラー表示モードとなり、エラーデータが不揮発性メモリー５に記憶されている場合は、表示部６に『ＤＣエラー』と表示され、エラーデータが不揮発性メモリー５に記憶されていない場合は、表示部６に『ＤＣ  ＯＫ』と表示されてＤＣオフセットエラー表示モードとなったままこのルーチンを終了する。
【００２１】
このようにしてＤＣオフセットエラーが検出されたか否かを電源投入時に調べることができる。ステップＳ７では通常動作モードとなり、この場合はエラーデータを表示することなく、このルーチンを終了する。なお、ＤＣオフセットエラー表示モードにおいて、クリアキー１０を押すと、その信号が入力監視手段に検出され、不揮発性メモリ５に記憶されているデータが初期化される。このとき表示は『ＤＣ  ＯＫ』となる。
【００２２】
このように実施例のオーディオ装置では電力増幅回路が不良となると、パワーオフとなるるのでスピーカの故障が防止される。その場合、使用者がなぜパワーオフとなったか分からず修理に出すと、修理を依頼された部門ではそのオーディオをＤＣオフセットエラー表示モードとすることによりエラー状態を確認することができる。
【００２３】
エラーが確認できれば、不具合部品を交換し、クリアーキーによりエラーデータを初期化して使用者に返却することができる。このように、修理解析部門では不具合現象の特定方法があるため、作業効率が向上する。
【００２４】
実施例は以上のように構成されているが発明はこれに限られず、例えば、ＤＣオフセットエラー音声発生装置のビープ音または光源の点灯・点滅により報知するようにしてもよい。
【図面の簡単な説明】
【００２５】
【図１】この発明の実施例１であるオーディオ装置の要部を示すブロックである。
【図２】同オーディオ装置の動作を示すフローチャートである。
【図３】同オーディオ装置の動作を示すフローチャートである。
【符号の説明】
【００２６】
１  制御部
２  入力監視手段
３  エラー表示手段
４  ＤＣオフセットエラー検出手段
５  不揮発性メモリ
６  表示部
７  ＤＣオフセットエラー検出部
８  リセット回路
９  キー
１０  クリアキー
１１  電源入力キー
１２  リセットキー
【図１】
2005192021.tif 000003
【図２】
2005192021.tif 000004
【図３】
2005192021.tif 000005